(57)【特許請求の範囲】
【請求項１】
用紙の搬送方向と直交する方向に沿って移動可能な穿孔手段と、用紙の搬送方向に対して平行な側端部位置を検知する用紙側端部検知手段とを有し、該用紙側端部検知手段により検知された用紙の位置情報に基づいて、前記穿孔手段を用紙の中央に移動して穿孔処理するようにした穿孔処理装置において、
前記用紙側端部検知手段は、穿孔処理する用紙幅に対応して複数個設けられており、かつ、前記穿孔手段と共に移動可能に設けられており、さらに、前記複数個の検知手段のうち最も用紙中央に近い検知手段が用紙の先端検知を行う手段を兼ねることを特徴とする穿孔処理装置。
【請求項２】
用紙の搬送方向と直交する方向に沿って移動可能な穿孔手段と、用紙の搬送方向に対して平行な側端部位置を検知する用紙側端部検知手段とを有し、該用紙側端部検知手段により検知された用紙の位置情報に基づいて、前記穿孔手段を用紙の中央に移動して穿孔処理するようにした穿孔処理装置において、
前記用紙側端部検知手段は、穿孔処理する用紙幅に対応して複数個設けられており、かつ、前記穿孔手段と共に移動可能に設けられており、さらに、前記複数個の検知手段のうち最も用紙中央に近い検知手段が用紙の後端検知を行う手段を兼ねることを特徴とする穿孔処理装置。
【請求項３】
用紙に画像を記録形成する画像記録手段と、画像が記録形成された用紙を該画像記録手段より排出する排出手段とを有すると共に、該排出手段により排出された用紙に対して、請求項１または２に記載の穿孔処理装置により穿孔処理を行うことを特徴とする画像形成装置。
【発明の詳細な説明】
【０００１】
【発明の属する技術分野】
本発明は、穿孔処理装置及び画像形成装置に関し、詳しくは、例えば複写機、プリンタ、ファクシミリ、これらの複合機等の画像形成装置により画像が記録形成されて排出される用紙に、ファイルに綴じ込むためのパンチ孔を穿孔形成する穿孔処理装置及びこれを備える画像形成装置に関する。
【０００２】
【従来の技術】
複写機、プリンタ、ファクシミリ、これらの複合機等の画像形成装置においては、ファイルに綴じ込むためのパンチ孔を穿孔形成する穿孔処理装置を画像形成装置と組み合わせることにより、作業効率の向上を図り得るようにすることが行なわれている。
【０００３】
このパンチ孔の穿孔処理においては、パンチ孔の位置に偏りがなく、用紙をファイリングした際にその整合が良好となるように、各用紙に対して常に同一位置に行なわれることが重要である。しかし、各用紙毎の搬送時の曲がりや片寄りの発生によって、各用紙毎に穿孔位置が微妙に異なることが原因となって、穿孔処理された用紙の端部を揃えてもパンチ孔の位置が不揃いとなり、一度にファイルできない或いはファイルしても用紙端部が不揃いとなって体裁が悪くなる問題がある。
【０００４】
そこで従来、穿孔手段に導入される用紙の用紙幅に対応した位置にラインセンサを配置し、該センサにより用紙の搬送方向に平行な側端部位置を検知し、その検知結果に基づいて穿孔手段自体を用紙幅方向に移動させ、用紙の幅方向中央に穿孔処理し得るようにした技術が提案されている（特開平３−９２２９９号）。
【０００５】
しかしながら、ラインセンサは用紙サイズに対応させて設ける必要があり、必然的に大型化するため、それだけコスト高となる問題は避けられない。
【０００６】
一方、穿孔手段に導入される用紙幅に対応して、用紙の搬送方向に平行な側端部位置を検知するための検知手段自体を穿孔手段とは独立に用紙幅方向に移動させるようにした技術も提案されている（特開平１０−２７９１７０号）。
【０００７】
これによると、ラインセンサを使用する必然性がなくなるため、上述の問題は解消できるが、検知手段を移動させるための専用の移動機構並びに駆動手段が必要であるために装置が大型化する上にコスト高の問題も避けられない。
【０００８】
【発明が解決しようとする課題】
本発明は、かかる従来事情に鑑みてなされたものであり、用紙の幅方向中央位置に精度良く穿孔処理することができ、構造簡単で小型且つ安価に構成することのできる穿孔処理装置を提供することを課題とする。
【０００９】
また、他の課題は、用紙の幅方向中央位置に精度良く穿孔処理することができ、構造簡単で小型且つ安価に構成することのできる穿孔処理装置を備えた画像形成装置を提供することを課題とする。
【００１０】
【課題を解決するための手段】
上記課題を解決する請求項１記載の発明は、用紙の搬送方向と直交する方向に沿って移動可能な穿孔手段と、用紙の搬送方向に対して平行な側端部位置を検知する用紙側端部検知手段とを有し、該用紙側端部検知手段により検知された用紙の位置情報に基づいて、前記穿孔手段を用紙の中央に移動して穿孔処理するようにした穿孔処理装置において、前記用紙側端部検知手段は、穿孔処理する用紙幅に対応して複数個設けられており、かつ、前記穿孔手段と共に移動可能に設けられており、さらに、前記複数個の検知手段のうち最も用紙中央に近い検知手段が用紙の先端検知を行う手段を兼ねることを特徴とする穿孔処理装置である。
【００１１】
請求項２記載の発明は、用紙の搬送方向と直交する方向に沿って移動可能な穿孔手段と、用紙の搬送方向に対して平行な側端部位置を検知する用紙側端部検知手段とを有し、該用紙側端部検知手段により検知された用紙の位置情報に基づいて、前記穿孔手段を用紙の中央に移動して穿孔処理するようにした穿孔処理装置において、前記用紙側端部検知手段は、穿孔処理する用紙幅に対応して複数個設けられており、かつ、前記穿孔手段と共に移動可能に設けられており、さらに、前記複数個の検知手段のうち最も用紙中央に近い検知手段が用紙の後端検知を行う手段を兼ねることを特徴とする穿孔処理装置である。
【００１８】
請求項３記載の発明は、用紙に画像を記録形成する画像記録手段と、画像が記録形成された用紙を該画像記録手段より排出する排出手段とを有すると共に、該排出手段により排出された用紙に対して、請求項１または２に記載の穿孔処理装置により穿孔処理を行うことを特徴とする画像形成装置である。
【００１９】
【発明の実施の形態】
以下、本発明の実施の形態について図面に基づいて説明する。
【００２０】
図１は、本発明に係る画像形成装置の一例を示す全体構成図であり、Ａは画像形成装置本体、Ｂは画像読み取り装置、Ｃは穿孔処理装置を示している。
【００２１】
画像形成装置本体Ａは、回転する像担持体としての感光体１の周囲に、帯電手段２、像露光手段（書き込み手段）３、現像手段４、転写手段５Ａ、除電手段５Ｂ、分離爪５Ｃ、及びクリーニング手段６を配置し、帯電手段２によって感光体１の表面に一様帯電を行った後に、像露光手段３のレーザービームによって原稿から読み取られた画像データに基づくレーザービーム走査を行うことによって潜像を形成し、該潜像を現像手段４により反転現像して感光体１の表面にトナー像を形成する。
【００２２】
一方、用紙収納手段７Ａから給紙された転写紙である用紙Ｓは転写位置へと送られる。転写位置において転写手段５Ａにより前記トナー像が用紙Ｓ上に転写される。その後に、用紙Ｓは除電手段５Ｂにより裏面の電荷が消去され、分離爪５Ｃにより感光体１から分離され、中間搬送部７Ｂにより搬送され、引き続き定着手段８により加熱定着され、排紙ローラ７Ｃにより排出される。
【００２３】
用紙Ｓの両面に画像形成を行う場合には、定着手段８により加熱定着された用紙Ｓを、搬送路切替案内部材７Ｄにより通常の排紙通路から分岐し、反転搬送７Ｅにおいてスイッチバックして表裏反転した後、転写位置へ搬送され、表面と同様転写、分離、定着を経て排紙ローラ７Ｃにより装置外に排出される。排紙ローラ７Ｃにより画像形成装置本体Ａから排出された用紙Ｓは、該画像形成装置本体Ａに隣接して配置された穿孔処理装置Ｃに送り込まれる。
【００２４】
一方、感光体１の画像処理後の表面は、分離爪５Ｃの下流においてクリーニング手段６により表面に残留している現像剤が除去され、次の画像形成に備える。
【００２５】
画像形成装置本体Ａの上部には、原稿移動露光型読み取り方式の自動原稿送り装置を備えた画像読み取り装置Ｂが設置されている。
【００２６】
穿孔処理装置Ｃは、画像形成装置本体Ａの排紙ローラ７Ｃから排出された用紙を受け入れ、その搬送方向の後端側にファイルに綴じ込むためのパンチ孔を穿孔形成するための穿孔手段１０と、該穿孔手段１０によりパンチ孔が穿孔形成された用紙を短い距離で搬送排出する第一の搬送路２０及び長い距離で搬送排出する第二の搬送路３０とを有し、これら第一の搬送路２０と第二の搬送路３０を切替案内部材４０の操作により選択的に切り替えるようになっている。
【００２７】
なお、穿孔手段１０の下方にはパンチ屑を収容するパンチ屑受け５０が配設されている。
【００２８】
穿孔手段１０の詳細を図２及び図３に示す。図２は穿孔手段１０の平面図、図３はその側面図である。
【００２９】
穿孔手段１０は、用紙Ｓの搬送方向と直交する方向に沿って配置されると共に、それぞれ上下方向（図３において矢印で示す）に移動可能な適宜数のパンチ刃１１（図示例では２つ）と、該パンチ刃１１の下方に用紙Ｓの搬送路Ｐを挟んで対向するように配置されたダイ１２を有している。
【００３０】
パンチ刃１１の上方には、同じく用紙Ｓの搬送方向と直交する方向に沿うように、図示しない駆動手段の駆動力により回転する回転軸１３が筺体１４に横架されると共に、該回転軸１３にはパンチ刃１１の上端に当接するようにカム１３ａが設けられている。なお、パンチ刃１１は図示しない付勢手段により、その上端がカム１３ａに当接するように付勢されている。これにより回転軸１３が回転することによって、カム１３ａのカム面がパンチ刃１１の上端を摺動し、該カム１３ａの作用によりパンチ刃１１をダイ１２に向けて同時に押圧下動させ、画像形成装置本体Ａの排紙ローラ７Ｃによって穿孔処理装置Ｃの搬送路Ｐに受け入れられた用紙Ｓを一時停止させた際に、その搬送方向後端側にパンチ孔を穿設するようになっている。
【００３１】
パンチ刃１１の下方には、用紙Ｓの搬送路Ｐの上側に沿って上部案内板１５ａが設けられ、また、ダイ１２には、用紙Ｓの搬送方向上流側に下部案内板１５ｂが設けられており、これら上部案内板１５ａ及び下部案内板１５ｂが搬送路Ｐを上下から挟むように対向していることにより、画像形成装置本体Ａの排紙ローラ７Ｃによって搬送されてくる用紙Ｓを搬送路Ｐに円滑に案内する。
【００３２】
この穿孔手段１０において、パンチ刃１１、ダイ１２、回転軸１３及び各案内板１５ａ、１５ｂは、同一の筺体１４に一体に構成されており、筺体１４の一端にはラックギヤ１４ａが取り付けられている。ラックギヤ１４ａは、駆動モータ１６に設けられたピニオンギヤ１６ａと噛合しており、駆動モータ１６が正逆方向に回転駆動すると、その駆動力がピニオンギヤ１６ａ及びラックギヤ１４ａを介して筺体１４に伝達され、これにより穿孔手段１０全体が用紙Ｓの搬送方向と直交する方向（図２に示す矢印方向）に移動可能とされている。
【００３３】
１７は、用紙Ｓの搬送方向に対して平行な側端部位置を検知するための用紙側端部検知手段である。この用紙側端部検知手段１７は、反射型の光センサＳ１〜Ｓ５からなり、穿孔処理される各種サイズの用紙幅に対応するように、用紙Ｓの搬送方向と直交する方向に沿って複数個（図示例では５個）が上部案内板１５ａに取り付けられている。それ故、後述する用紙側端部検知のために、穿孔手段１０全体を移動する際、その移動量を小さくすることができ、穿孔処理の効率が向上する。
【００３４】
用紙側端部検知手段１７は、駆動モータ１６の駆動によって穿孔手段１０と共に移動可能とされている。これにより用紙のサイズ（幅方向の長さ）が変わってもパンチ刃１１が用紙幅の中央位置に配置される。なお、本実施形態においては、各センサＳ１〜Ｓ５は、各種サイズの用紙Ｓの理想位置、すなわち片寄りのない位置での一方側端部の内側５ｍｍの位置にくるように設定されている態様を示しているが、これに限定されず、各用紙サイズの一方側端部の内側近傍位置又は外側近傍位置に配置されていればよい。また、センサの個数は、必ずしも装置で処理し得る全ての用紙サイズに対応している必要はなく、それよりも少ない数とすることもでき、少なくとも１個あれば機能することができる。
【００３５】
上部案内板１５ａには、各センサＳ１〜Ｓ５に対応して開口１５ｃが形成されており、各センサＳ１〜Ｓ５は開口１５ｃを通して下部案内板１５ｂに投光し、その反射光の強弱によって用紙Ｓの側端部の検知を行うようになっている。すなわち、穿孔手段１０が図２の矢印方向に移動することにより、上部案内板１５ａに設けられた用紙Ｓのサイズに対応する用紙側端部検知手段１７（センサＳ１〜Ｓ５のいずれか）が、用紙Ｓの一方の側端部を内側から外側（又は外側から内側）へ向けて横切り、このときの反射光の強弱により用紙Ｓの側端部位置を検知することが可能である。
【００３６】
このように用紙側端部検知手段１７が、用紙Ｓの一方の側端部を内側から外側（又は外側から内側）へ向けて横切る方向を固定することにより、検知誤差を少なくできるという利点がある。すなわち、同一の検知手段で、側端部位置の検知を行う際に、内側から外側へ向けて横切る場合と外側から内側へ向けて横切る場合とが混在していると、検知位置に差が出易いという不具合があるが、本実施形態においてはこの問題を解消できる。
【００３７】
また、用紙側端部検知手段１７は、搬送路Ｐを搬送されてくる用紙Ｓの後端通過を検知することによって、該用紙Ｓの後端部を検知することも可能である。この用紙Ｓの後端部の検知は、複数のセンサＳ１〜Ｓ５のうちの最も内側のセンサＳ５を用いることが好ましい。最も内側のセンサＳ５は用紙Ｓの中央部に近いため、用紙Ｓに曲がりが生じた場合、用紙Ｓの搬送方向に対する用紙Ｓの後端からのパンチ孔位置ずれを小さく抑えられるという利点がある。また、全ての用紙サイズに対して共通に後端検知を行うことが可能である。
【００３８】
また、用紙側端部検知手段１７によって、搬送路Ｐを搬送されてくる用紙Ｓの先端通過を検知することによって、該用紙Ｓの先端部を検知することも可能である。本発明の用紙先端検知手段としては、別途センサを設けてもよいが、センサＳ５で兼用した方がコスト安になり好ましい。
【００３９】
穿孔手段１０の下流側には、図４に示すように、レジストローラ対６０が配置されている。このレジストローラ対６０は、画像形成装置本体Ａから排出されて穿孔手段１０の搬送路Ｐを通過してきた用紙Ｓの先端部をその間に突き当て、該レジストローラ対６０の入口側に配設された上部案内板６１ａと下部案内板６１ｂとの間に、画像形成装置本体Ａの排紙ローラ７Ｃの搬送力によって用紙Ｓのたわみを形成し、その搬送曲がりを矯正する。なお、このレジストローラ対６０は、図示しない駆動モータにより回転駆動されるが、少なくとも用紙Ｓが穿孔手段１０に搬送されてきたときには駆動モータを停止することにより停止状態にあり、用紙Ｓの先端が突き当たるようになっている。この用紙Ｓの先端が突き当たることにより、用紙Ｓの搬送曲がりを矯正するようになっている。
【００４０】
切替案内部材４０はレジストローラ対６０の下流側に配置されており、レジストローラ対６０により曲がりが矯正され、該レジストローラ対６０が回転することにより搬送された用紙Ｓを、そのサイズに応じて、図示しないソレノイドの作動により短い距離で搬送排出する第一の搬送路２０又は長い距離で搬送排出する第二の搬送路３０にその搬送路を切り替えるように機能する。また、用紙Ｓに対して穿孔処理しない場合には、用紙Ｓを第一の搬送路２０により速やかに排出する。
【００４１】
次に、かかる穿孔処理装置Ｃの穿孔動作について説明する。
【００４２】
画像形成装置本体Ａにおいて所定の画像が記録形成された用紙Ｓが排紙ローラ７Ｃによって穿孔処理装置Ｃに搬入されると、該用紙Ｓの先端部が上部案内板１５ａ及び下部案内板１５ｂの間から、予め決められた基準位置に位置して待機する穿孔手段１０の搬送路Ｐに案内される。搬送路Ｐに案内された用紙Ｓは、穿孔手段１０の下流側に配置されている停止状態のレジストローラ対６０間に突き当たり、搬送曲がりが矯正された後、レジストローラ対６０の回転開始により、第一の搬送路２０又は第二の搬送路３０に搬送される。
【００４３】
一方、搬送路Ｐに案内された用紙Ｓの先端部の通過が用紙側端部検知手段１７の最も内側のセンサＳ５により検知されると（図５）、所定時間後（搬送曲がり矯正後）に、レジストローラ対６０によって用紙Ｓが搬送される過程で、駆動モータ１６を駆動させ、用紙Ｓのサイズに応じたセンサ（ここでは用紙ＳのサイズがＡ３サイズの場合の例として、用紙側端部検知手段１７の最も外側のセンサＳ１）が用紙Ｓの側端部を検知するまで、センサＳ１が用紙Ｓの内側から外側に向けて移動するように穿孔手段１０全体を移動させる（図６）。なお、図５において用紙先端検知手段として機能していたセンサＳ５は、この穿孔手段１０全体の移動が開始されるまでの間に、用紙検知のためのアルゴリズムを切り換える等により、用紙側端部の検知に備える。
【００４４】
用紙Ｓのサイズに応じたセンサ（ここではセンサＳ１）により用紙Ｓの側端部が検知されると、駆動モータ１６を逆方向に回転させ、再度センサＳ１が用紙Ｓの側端部を検知するまで、センサＳ１が用紙Ｓの外側から内側に向けて移動するように穿孔手段１０全体を移動させる（図７）。これにより用紙Ｓの側端部位置を検出する。
【００４５】
この用紙Ｓの側端部位置の検出の後、穿孔手段１０のパンチ刃１１の中央が用紙Ｓの中央にくるようにするための該側端部位置からの移動量を図示しないＣＰＵ等の演算手段により割り出し、駆動モータ１６を制御して穿孔手段１０を移動させ、パンチ刃１１の中央が用紙Ｓの中央にくるように位置決めする（図８）。
【００４６】
次いで、用紙Ｓの後端を検知すべく備えられたセンサＳ５が用紙Ｓの後端を検知した後、用紙Ｓの所定距離搬送後に、レジストローラ対６０の回転を停止させて用紙Ｓの搬送を一時停止させ、所定のタイミングでパンチ刃１１を下動させて、用紙Ｓの所定位置に穿孔を行う（図９）。これにより用紙Ｓの中央位置に精度良くパンチ孔を形成することができる。
【００４７】
パンチ孔が形成された用紙Ｓは、再度レジストローラ対６０の回転開始により搬送され、穿孔処理装置Ｃから排出される。
【００４８】
その後、上記動作を各用紙Ｓ毎に繰り返し実施する。
【００４９】
以下、本発明の第２の実施形態について説明する。
【００５０】
図１０は第２の実施形態における穿孔手段１０の平面図であり、ここで、穿孔手段１０は一つのセンサで複数の用紙サイズの側端部を検知するように構成されており、一例としてセンサＳ１はＡ３サイズの用紙ＳAとレターサイズの用紙ＳLの側端部位置を検知することが可能である。その他の構成については上記実施形態と同一である。なお、図１０中に示される数値において記載のない単位はｍｍである。
【００５１】
かかる穿孔処理装置Ｃの穿孔動作について説明する。
【００５２】
まず、Ａ３サイズの用紙ＳAの場合について説明すると、穿孔手段１０は、図示していない基準位置センサにより用紙ＳAの理想中心と同一のパンチ中心の位置で待機する。このときセンサＳ１は、用紙ＳAの理想側端部位置から５ｍｍ内側にある。なお、用紙サイズがＡ３であることは、画像形成装置本体Ａがプリント開始する際に穿孔処理装置Ｃに伝えられる。
【００５３】
用紙ＳAが穿孔手段Ｐの搬送路Ｐに案内されて先端がセンサＳ１によって検知されると、所定時間後（搬送曲がり矯正後）に、用紙ＳAが搬送される過程で、駆動モータ１６の駆動により穿孔手段１０全体が図示右方向へ移動し、センサＳ１が用紙ＳAの側端部を検知すると移動停止する。
【００５４】
穿孔手段１０は駆動モータ１６を逆回転することにより５ｍｍ図示左方向に移動して停止する。
【００５５】
センサＳ１により用紙ＳAの後端を検知した後、用紙ＳAを決められた距離搬送して搬送を一時停止する。なお、この動作は穿孔手段１０の上記動作と平行して行われる。
【００５６】
搬送停止の後、所定のタイミングでパンチ刃１１を下動させて、用紙ＳAの所定位置に穿孔を行う。これにより用紙ＳAの中央位置に精度良くパンチ孔を形成することができる。
【００５７】
穿孔終了後、用紙ＳAは搬送され、穿孔手段１０は基準位置に戻る。
【００５８】
次に、レターサイズの用紙ＳLの場合について説明すると、穿孔手段１０は、図示していない基準位置から８．８ｍｍ図示左方向へ移動して待機する。すなわち、レター用紙ＳLの理想側端部から５ｍｍ内側にセンサＳ１の位置がある。なお、用紙サイズがレターサイズであることは、画像形成装置本体Ａがプリント開始する際に穿孔処理装置Ｃに伝えられる。
【００５９】
用紙ＳLが穿孔手段Ｐの搬送路Ｐに案内されて先端がセンサＳ１によって検知されると、所定時間後（搬送曲がり矯正後）に、用紙ＳLが搬送される過程で、駆動モータ１６の駆動により穿孔手段１０全体が図示右方向へ移動する。
【００６０】
センサＳ１が用紙ＳLの側端部を検知すると、その位置から更に３．８ｍｍ図示右方向へ移動して停止する。
【００６１】
センサＳ１により用紙ＳLの後端を検知した後、用紙ＳLを決められた距離搬送して搬送を一時停止する。なお、この動作は穿孔手段１０の上記動作と平行して行われる。
【００６２】
搬送停止の後、所定のタイミングでパンチ刃１１を下動させて、用紙ＳLの所定位置に穿孔を行う。これにより用紙ＳLの中央位置に精度良くパンチ孔を形成することができる。
【００６３】
穿孔終了後、用紙ＳLは搬送され、穿孔手段１０は基準位置に戻る。
【００６４】
このように、穿孔処理装置Ｃは、用紙Ｓの側端部位置を検知する用紙側端部検知手段１７を穿孔手段１０と共に一体的に移動可能に設けているため、用紙側端部検知手段１７専用の移動機構並びに駆動手段を必要とせず、穿孔手段１０の移動機構並びに駆動手段を兼用でき、装置の簡素化を図ることができる。しかも、用紙側端部検知手段１７は移動可能であるため、ラインセンサのような大型のセンサを用いる必要がなく、用紙Ｓの側端部位置の検出のために小型のセンサを用いることができ、装置の小型化、低コスト化を容易に図り得るものとなる。
【００６５】
以上の説明では、用紙側端部検知手段１７を反射型の光センサを用いた例を示したが、これに限定されない。例えば、下部案内板１５ｂに受光部を配置し、上部案内板１５ａに配置された投光部からの光を、搬送路Ｐを挟んで下部案内板１５ｂの受光部によって受光することにより用紙Ｓの側端部位置を検出する透過型の光センサーであってもよい。
【００６６】
また、画像形成装置は、穿孔処理装置Ｃから排出された用紙Ｓに対して、例えばステープリング、ソーティング等の後処理を更に行なうための後処理装置を備えるようにしてもよい。
【００６７】
【発明の効果】
本発明によれば、用紙の幅方向中央位置に精度良く穿孔処理することができ、構造簡単で小型且つ安価に構成することのできる穿孔処理装置を提供することができる。
【００６８】
また、本発明によれば、用紙の幅方向中央位置に精度良く穿孔処理することができ、構造簡単で小型且つ安価に構成することのできる穿孔処理装置を備えた画像形成装置を提供することができる。
【図面の簡単な説明】
【図１】画像形成装置の概略を示す構成図
【図２】穿孔手段の概略構成を示す平面図
【図３】穿孔手段の概略構成を示す側面図
【図４】穿孔装置の要部構成を示す側面図
【図５】穿孔手段による穿孔動作を示す説明図
【図６】穿孔手段による穿孔動作を示す説明図
【図７】穿孔手段による穿孔動作を示す説明図
【図８】穿孔手段による穿孔動作を示す説明図
【図９】穿孔手段による穿孔動作を示す説明図
【図１０】第２の実施形態における穿孔手段による穿孔動作を示す説明図
【符号の説明】
Ａ：画像形成装置本体
Ｂ：画像読み取り装置
Ｃ：穿孔処理装置
１０：穿孔手段
１１：パンチ刃
１２：ダイ
１３：回転軸
１３ａ：カム
１４：筺体
１５ａ：上部案内板
１５ｂ：下部案内板
１６：駆動モータ
１６ａ：ピニオンギヤ
１７：側端部位置検知手段
２０：第一の搬送路
３０：第二の搬送路
４０：切替案内部材
５０：パンチ屑受け
６０：レジストローラ対
【図１】
0004003394.tif 000002
【図２】
0004003394.tif 000003
【図３】
0004003394.tif 000004
【図４】
0004003394.tif 000005
【図５】
0004003394.tif 000006
【図６】
0004003394.tif 000007
【図７】
0004003394.tif 000008
【図８】
0004003394.tif 000009
【図９】
0004003394.tif 000010
【図１０】
0004003394.tif 000011